(57)【要約】【課題】開口枠部５を通過する又は通過しようとする人Ｐを撮像し、その撮像された画像に基づき、開口枠部５を通過する又は通過しようとする人Ｐをより確実に特定する。【解決手段】壁部３に設けられた開口枠部５を通過する又は通過しようとする人Ｐを撮像する撮像装置２０の取付構造であって、撮像装置２０は、開口枠部５における対向する一対の方立部８，９のうち、いずれか一方の方立部８側の壁部３に取り付けられ、撮像装置２０の撮像方向は、一対の方立部８，９のうち撮像装置２０が取り付けられていない他方の方立部９側を向いている。【選択図】図１
2015154346.tif 000002
【特許請求の範囲】
【請求項１】
壁部に設けられた開口部を通過する又は通過しようとする人を撮像する撮像装置の取付構造であって、
前記撮像装置は、前記開口部の左右の側辺のうち、いずれか一方の側辺側の前記壁部に取り付けられ、
前記撮像装置の撮像方向は、前記左右の側辺のうち前記撮像装置が取り付けられていない他方の側辺側を向いている、撮像装置の取付構造。
【請求項２】
前記開口部に開き戸が設置されており、
前記撮像装置は、前記左右の側辺のうち前記開き戸の吊元と反対側である側辺側の前記壁部に位置している、
請求項１に記載の撮像装置の取付構造。
【請求項３】
前記撮像装置と別体であり、且つ、前記撮像装置に配線部を介して接続される無線送信部を更に備え、
前記撮像装置が前記壁部の一方の面に設けられ、且つ、前記無線送信部が前記壁部の他方の面に設けられ、
前記撮像装置は、前記壁部の他方の面に固定され且つ前記壁部の一方の面まで延在する支持部により支持されており、
前記配線部は、前記支持部と前記壁部との間に格納されている、
請求項１又は２に記載の撮像装置の取付構造。
【請求項４】
壁部に設けられた開口部を通過する又は通過しようとする人を記録する記録システムであって、
前記開口部の左右の側辺のうち、いずれか一方の側辺側の前記壁部に取り付けられた撮像装置と、
前記撮像装置により撮像された画像を記録する記録部と、
を備え、
前記撮像装置の撮像方向は、一対の側辺のうち前記撮像装置が取り付けられていない他方の側辺側を向いている、記録システム。
【請求項５】
前記開口部を通過する人を検知する人通過センサ、及び、前記開口部に設けられた建具の開閉を検知する建具開閉センサ、の少なくとも一方をさらに備え、
前記撮像装置及び前記記録部の少なくとも一方は、前記人通過センサ及び前記建具開閉センサの少なくとも一方からの信号に基づき作動する、
請求項４に記載の記録システム。
【発明の詳細な説明】
【技術分野】
【０００１】
本発明は、壁部に設けられた開口部を通過する又は通過しようとする人を撮像する撮像装置の取付構造、及び該取付構造を備えた記録システムに関する。
【背景技術】
【０００２】
従来、玄関のドアにおいて、ドアにカメラ等の撮像装置を取り付けることで、ドアの外部をモニタリングする玄関監視装置が知られている。例えば、特許文献１に記載の玄関監視装置は、複数の撮像装置を有し、各撮像装置によって玄関ドアの外部を広範囲にわたって撮像を行い、撮像された複数の画像を表示手段に表示する。これにより、例えば呼び出しインターホンを使用した来訪者をモニタリングする。
【先行技術文献】
【特許文献】
【０００３】
【特許文献１】特開２００５−１８４５２７号公報
【発明の概要】
【発明が解決しようとする課題】
【０００４】
特許文献１に記載の玄関監視装置は、訪問者及び外部からの侵入者を監視するための装置であり、そもそも居住者等が屋外に出ることを監視することは想定されていない。そのため、撮像装置は、ドアにおける除き窓の位置に取り付けられており、撮像装置の撮像方向はドアの外部側に向けられている。つまり、壁部に設けられたドア用の開口部を通過する人や通過しようとする人よりもむしろ、ドアの前に立った訪問者や外部を通過するだけの人を感知して撮像を行う可能性がある。さらに、特許文献１に記載の玄関監視装置では、撮像装置がドア自体に取り付けられているため、ドアの開閉と共に撮像装置が動いてしまう。したがって、壁部の開口部を通過する又は通過しようとする人を撮像して確実に特定することが困難である。
【０００５】
本発明は、開き戸等が設けられる開口部を通過する又は通過しようとする人を撮像し、その撮像された画像に基づき、開口部を通過する又は通過しようとする人をより確実に特定することができる撮像装置の取付構造、及び記録システムを提供することを目的とする。
【課題を解決するための手段】
【０００６】
上記課題を解決するため、本発明は、壁部に設けられた開口部を通過する又は通過しようとする人を撮像する撮像装置の取付構造であって、撮像装置は、開口部の左右の側辺のうち、いずれか一方の側辺側の壁部に取り付けられ、撮像装置の撮像方向は、左右の側辺のうち撮像装置が取り付けられていない他方の側辺側を向いていることを特徴とする。
【０００７】
本発明に係る撮像装置の取付構造によれば、撮像装置が、壁部に設けられた開口部の左右の側辺のうち、いずれか一方の側辺側の壁部に取り付けられているので、例えば、開き戸等の開閉に連動して撮像装置が移動する虞がなく、撮像装置が静止された状態のまま撮像を行うことができる。さらに、撮像装置の撮像方向が左右の側辺のうち撮像装置が取り付けられていない他方の側辺側を向いているので、単に壁部の外側を通過するに過ぎない人まで撮像することなく、開口部を通過する又は通過しようとする人を側面から撮像することができ、撮像された画像に基づき、開口部を通過する又は通過しようとする人をより確実に特定することができる。
【０００８】
また、上記の撮像装置の取付構造であって、開口部に開き戸が設置されており、撮像装置は、左右の側辺のうち開き戸の吊元と反対側である側辺側の壁部に位置していてもよい。この場合、撮像装置が開き戸の吊元と反対側である側辺側の壁部に位置しているので、開き戸の開閉時においても開き戸によって阻害されることなく、撮像装置による撮像を行うことができる。
【０００９】
また、上記の撮像装置の取付構造は、撮像装置と別体であり、且つ、撮像装置に配線部を介して接続される無線送信部を更に備え、撮像装置が壁部の一方の面に設けられ、且つ、無線送信部が壁部の他方の面に設けられ、撮像装置は、壁部の他方の面に固定され且つ壁部の一方の面まで延在する支持部により支持されており、配線部は、支持部と壁部との間に格納されていてもよい。例えば、撮像装置を壁部の室外側に設置し、無線送信部を壁部の室内側に設置する場合に、支持部によって撮像装置が支持されると共に配線部が保護される。このため、撮像装置の設置が容易となる。
【００１０】
また、本発明は、壁部に設けられた開口部を通過する又は通過しようとする人を記録する記録システムであって、開口部の左右の側辺のうち、いずれか一方の側辺側の壁部に取り付けられた撮像装置と、撮像装置により撮像された画像を記録する記録部と、を備え、撮像装置の撮像方向は、左右の側辺のうち撮像装置が取り付けられていない他方の側辺側を向いていることを特徴とする。
【００１１】
本発明に係る記録システムによれば、撮像装置が、壁部に設けられた開口部の左右の側辺のうち、いずれか一方の側辺側の壁部に取り付けられているので、例えば、開き戸等の開閉に連動して撮像装置が移動する虞がなく、撮像装置が静止された状態のまま撮像を行い、撮像された画像を記録装置により記録することができる。さらに、撮像装置の撮像方向が左右の側辺のうち撮像装置が取り付けられていない他方の側辺側を向いているので、単に壁部の外側を通過するに過ぎない人まで撮像して記録することなく、壁部に設けられた開口部を通過する又は通過しようとする人を側面から撮像し、撮像された画像を記録することができる。その結果、記録装置によって記録された当該画像に基づき、開口部を通過する又は通過しようとする人を確実に特定することができる。
【００１２】
本発明に係る記録システムは、開口部を通過する人を検知する人通過センサ、及び、開口部に設けられた建具の開閉を検知する建具開閉センサ、の少なくとも一方をさらに備え、撮像装置及び記録部の少なくとも一方は、人通過センサ及び建具開閉センサの少なくとも一方からの信号に基づき作動してもよい。この場合、撮像装置及び記録部の少なくとも一方は、人通過センサ及び建具開閉センサの少なくとも一方からの信号に基づき作動するので、人が開口部を通過した時の撮像情報を得やすくなる。
【発明の効果】
【００１３】
本発明によれば、開口部を通過する又は通過しようとする人を撮像し、その撮像された画像に基づき、開口部を通過する又は通過しようとする人をより確実に特定することができる。
【図面の簡単な説明】
【００１４】
【図１】本発明の一実施形態に係る撮像装置の取付構造の概念図を示す図である。
【図２】本実施形態に係る撮像装置の取付構造の概略構成を示す図である。
【図３】本発明の一実施形態に係る記録システムの概略構成図である。
【図４】本実施形態に係る記録システムの動作手順を示すフローチャートである。
【図５】本発明の変形例に係る記録システムを示す概略構成図である。
【図６】変形例に係る記録システムの動作手順を示すフローチャートである。
【発明を実施するための形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
図１及び図２を参照して、本発明の一実施形態に係る撮像装置の取付構造の構成を説明する。
【００１７】
（撮像装置の取付構造）
図１に示されるように、撮像装置の取付構造（以下、「撮像構造」という）１は、例えば一般住宅や高齢者向け賃貸住宅等の建物において、建物への人Ｐの出入り用に設けられた開口枠部（「開口部」の一例）５を通過する人Ｐ又は通過しようとする人Ｐを撮像するための撮像装置２０を建物の壁部３に取り付けるための構造である。
【００１８】
壁部３には、一方の面である室外側の面３ａ及び他方の面である室内側の面３ｂを貫通して室内側と室外側とを連通する開口枠部５が設けられている。開口枠部５は、上枠である鴨居６、下枠である敷居７、及び左右の側辺である対向する一対の方立部８，９で形成されている。鴨居６、敷居７、及び方立部８，９は、壁部３の一部を構成している。なお、対向する一対の方立部８，９は、開口部の左右の側辺の一例である。
【００１９】
開口枠部５には、建具である開き戸１１が設置されている。開き戸１１は、複数の丁番１５により方立部９に取り付けられている。すなわち、開き戸１１の吊元１１ａ（回転軸側）は、方立部９側に位置している。開き戸１１は、吊元１１ａを中心として回転し、開閉される。
【００２０】
開き戸１１の開閉は、建具開閉センサ１３により検知される。建具開閉センサ１３は、磁石部１３ａ及び金属部１３ｂを含む。磁石部１３ａは、方立部８の下方に取り付けられている。金属部１３ｂは、開き戸１１における手先１１ｂの下方に取り付けられている。開き戸１１が閉じた状態において、磁石部１３ａと金属部１３ｂとは接触する。このとき、建具開閉センサ１３は、開き戸１１の閉状態を検知する。開き戸１１が開いた状態において、磁石部１３ａと金属部１３ｂとの接触は解除される。このとき、建具開閉センサ１３は、開き戸１１の開状態を検知する。
【００２１】
建具開閉センサ１３によって検知された開き戸１１の開閉状態を示す信号は、撮像装置２０へ送信される。撮像装置２０への送信は有線方式であっても無線方式であってもよい。なお、建具開閉センサ１３によって検知された開き戸１１の開閉状態を示す信号は、後述する無線送信部へ送信されてもよい。
【００２２】
撮像装置２０には、赤外線センサ２１が搭載されている。赤外線センサ２１は、開口枠部５を通過する人Ｐを検知する人通過センサである。赤外線センサ２１は、能動型センサであっても、受動型センサであってもよく、例えば、被対象物で反射された赤外線や、被対象物から発せられる赤外線を検知して、開口枠部５を通過する人（被対象物）を検知する。
【００２３】
赤外線センサ２１によって検知された信号、つまり、人Ｐである可能性が高い被対象物の存在を示す信号は、撮像装置２０へ送信され、入力される。撮像装置２０への送信は有線方式であっても無線方式であってもよい。なお、赤外線センサ２１によって検知された被対象物の存在を示す信号は、後述する無線送信部２５へ送信されてもよい。
【００２４】
赤外線センサ２１が搭載された撮像装置２０は、開口枠部５における一対の方立部８，９のうち、いずれか一方の方立部に沿うように壁部３に取り付けられている。本実施形態においては、撮像装置２０は、開き戸１１の吊元１１ａと反対側の方立部８に沿うように、室外側の面３ａに取り付けられている。撮像装置２０は、開口枠部５を通過すると想定される人Ｐの背丈に合わせて、人Ｐの顔と同じ程度の高さとなるような位置に配置されている。例えば、方立部８の高さ方向における少なくとも中央よりも上方の位置に配置されている。
【００２５】
次に、図２を参照して、撮像構造１の概略構成について詳細に説明する。図２は、図１における撮像構造１の概略構成を示す図である。図２に示されるように、撮像装置２０は、ブラケット部２７により支持されている。ブラケット部２７は、薄い板状金物で形成された片持ち状の支持部である。ブラケット部２７は、壁部３の室内側の面３ｂに固定され、且つ、壁部３の室外側の面３ａまで延在している。例えば、ブラケット部２７は、面３ｂの一部をなす方立部８の面８ｅにネジ等により固定され、方立部８の外形形状に沿って延在する。つまり、ブラケット部２７には、方立部８の戸当たり部８ｂに沿った凸部２７ａが形成されている。なお、戸当たり部８ｂは、開き戸１１が閉じた状態において、開き戸１１が室内側まで行きすぎないように開き戸１１の手先１１ｂを保持する部分である。
【００２６】
ブラケット部２７は、開き戸１１が閉じた状態において、開き戸１１の手先１１ａと近接する方立部８の面８ａに沿って延在し、開き戸１１の手先１１ａと方立部８の面８ａとの間に介在している。ブラケット部２７は、壁部３の室外側の面３ａの一部をなす方立部８の面８ｄに沿って延在し、突出部２７ｂを形成している。突出部２７ｂは、撮像装置２０を固定する。
【００２７】
撮像装置２０は、撮像光学系と撮像素子等を備えた撮像部２２と、撮像動作を統括的に制御し、撮像された画像データの出力制御を行うＣＰＵ等と、それらを収容する筐体とを備えている。撮像部２２は、撮像方向が方立部９側となるように配置されている。撮像部２２は、赤外線センサ２１で検知された信号及び建具開閉センサ１３で検知された信号の少なくとも一方に基づき作動し、撮像を行う。例えば、撮像部２２は、赤外線センサ２１により被対象物の存在（例えば、開口枠部５を通過する人Ｐ）を示す信号が入力されると、その人Ｐを方立部８から方立部９に向かう方向で撮像する。
【００２８】
また、撮像部２２は、建具開閉センサ１３により開き戸１１の開閉状態が検知されると、開口枠部５を通過する人Ｐを方立部８から方立部９に向かう方向で撮像する。その結果、撮像部２２は、開口枠部５を通過する人Ｐを側面から撮像することになる。また、撮像装置２０は、赤外線センサ２１で検知された信号及び建具開閉センサ１３で検知された信号の少なくとも一方に基づき、撮像された画像を送信してもよい。
【００２９】
なお、撮像部２２による撮像は、赤外線センサ２１又は建具開閉センサ１３で信号が検知されると同時に行わなくてもよく、例えば検知してから数秒後に撮像を行ってもよい。また、建具開閉センサ１３または赤外線センサ２１のどちらか一方のみを設け、そこから取得した信号に基づいて撮像するようにしてもよい。
【００３０】
無線送信部２５は、撮像装置２０と別体であり、且つ、壁部３における室内側の面３ｂに設けられている。無線送信部２５は、撮像装置２０に配線部２３を介して接続される。無線送信部２５は、画像データの送信制御を行うＣＰＵ等を備えており、撮像部２２で撮像された画像データを撮像装置２０から取得し、取得した画像データを、無線方式で外部のアンテナ（図３参照）へ送信する。
【００３１】
撮像装置２０と無線送信部２５とを接続する配線部２３は、ブラケット部２７と方立部８を含む壁部３との間に格納されている。配線部２３は、室内側のプラグ受け２８に差し込まれる差し込みプラグ２９に接続されている。つまり、撮像装置２０は、配線部２３を介して室内の家庭用電源から給電されている。
【００３２】
以上、本実施形態に係る撮像構造１によれば、撮像装置２０が、壁部３に設けられた開口枠部５における対向する一対の方立部８，９のうち、いずれか一方の方立部８側の壁部３に取り付けられているので、例えば、開き戸１１等の開閉に連動して撮像装置２０が移動する虞がなく、撮像装置２０が静止された状態のまま撮像を行うことができる。さらに、撮像装置２０の撮像方向が一対の方立部８，９のうち撮像装置２０が取り付けられていない他方の方立部９側を向いているので、単に壁部３の室外側を通過するに過ぎない人まで撮像することなく、開口枠部５を通過する又は通過しようとする人Ｐを側面から撮像することができ、撮像された画像に基づき、開口枠部５を通過する又は通過しようとする人Ｐをより確実に特定することができる。
【００３３】
撮像装置２０は、開き戸１１の吊元１１ａと反対側である方立部８側の壁部３に位置しているので、開き戸１１の開閉時においても開き戸１１によって阻害されることなく、撮像装置２０による撮像を行うことができる。
【００３４】
撮像装置２０は、壁部３の室内側の面３ｂに固定され且つ壁部３の室外側の面３ａまで延在するブラケット部２７により支持されている。室外側に設置された撮像装置２０と室内側に設置された無線送信部２５とを接続する配線部２３は、ブラケット部２７と壁部３との間に格納されていている。したがって、ブラケット部２７によって撮像装置２０が支持されると共に配線部２３が保護される。このため、撮像装置２０の設置が容易となる。
【００３５】
配線部２３には、差し込みプラグ２９が設けられており、この差し込みプラグ２９は、室内側のプラグ受け２８に差し込まれる。このため、室内の家庭用電源から配線部２３を介して室外側の撮像装置２０に給電することができる。なお、家庭用電源からの給電ではなく、電池による給電とする形態も可能であるが、電池切れによる誤作動及び作動停止等の虞を考慮すると、本実施形態に係る撮像構造１は有利である。
【００３６】
以上、本発明を実施形態に基づいて説明したが、本発明は上記の実施形態のみに限定されない。例えば、撮像構造１は、赤外線センサ２１及び建具開閉センサ１３のいずれか一方を備えていなくてもよい。この場合、撮像部２２は、赤外線センサ２１からの信号及び建具開閉センサ１３からの信号の少なくとも一方に基づき撮像を行う。
【００３７】
本実施形態においては、撮像装置２０の位置は、方立部８の高さ方向における少なくとも中央よりも上方の位置に配置されているとしたが、これに限られない。例えば、開口枠部５を通過すると想定される人Ｐの背丈に合わせて方立部８の高さ方向で位置を調整してもよい。その際、撮像装置２０の位置を自在に調整する高さ方向調整部を、ブラケット部２７に設けてもよい。この場合、撮像装置２０の固定場所を特定せず、方立部８の高さ方向で所望の位置にも固定することができる。
【００３８】
また、本実施形態においては、撮像装置２０は、方立部８に沿うように室外側の面３ａに取り付けられているとしたが、これに限られない。例えば、壁部３には方立部８が含まれるので、撮像装置２０は、当該方立部８自体に取り付けられていてもよい。
【００３９】
（記録システム）
次に、図３及び図４を参照して、上述の撮像構造１を採用した記録システム３０Ａについて説明する。図３は、図１の撮像構造１を採用した記録システム３０Ａの概略構成図である。ただし、簡単のため、図３においては配線部２３、ブラケット部２７、及び建具開閉センサ１３等を省略して示している。
【００４０】
図３に示されるように、記録システム３０Ａは、上述の撮像構造１の構成に加え、画像出力装置３１を備えている。画像出力装置３１は、アンテナ３２、受信制御装置３３、及び表示装置３４を備えている。表示装置３４は、例えばＰＣ等であり、ＣＰＵ、及びＲＡＭ，ＲＯＭ等のメモリを備え、メモリに格納されたプログラムに基づいて動作して所定の機能的構成を実現する。具体的には、表示装置３４は、撮像装置２０から無線送信部２５を介して送られてきた信号を解析し、解析の結果、撮像装置２０で撮像された画像データを取得する解析部３５、取得された画像データを記録する記録部３６、記録部３６で記録された画像データを自動で、あるいは、操作入力を受け付けたタイミングでモニタ３８に出力し、その画像を視認可能に報知する表示制御部３７等を備えている。
【００４１】
次に、図４を参照して記録システム３０Ａの動作手順について説明する。図４は、図３の記録システム３０Ａの動作手順を示すフローチャートである。
【００４２】
図４に示されるように、まず、開口枠部５を人Ｐが通過すると、赤外線センサ２１及び建具開閉センサ１３の少なくとも一方が、その情報を検知する（ステップＳ１１）。例えば、赤外線センサ２１は、開口枠部５を通過する人Ｐを検知する。また、建具開閉センサ１３は、開き戸１１の開閉状態を検知する。
【００４３】
赤外線センサ２１及び建具開閉センサ１３の少なくとも一方により情報が検知されると、赤外線センサ２１からの検知信号及び建具開閉センサ１３からの検知信号の少なくとも一方に基づき、撮像装置２０が撮像を行う（ステップＳ１２）。
【００４４】
続いて、無線送信部２５は、撮像された画像を受信して、当該画像を画像出力装置３１へ送信する（ステップＳ１３）。画像出力装置３１においては、撮像された画像を解析部３５が取得して、当該画像を記録部３６が記録する（ステップＳ１４）。そして、表示制御部３７が、記録部３６により記録された画像をモニタ３８に表示する（ステップＳ１５）。
【００４５】
以上、本実施形態に係る記録システム３０Ａによれば、撮像装置２０が、壁部３に設けられた開口枠部５における対向する一対の方立部８，９のうち、いずれか一方の方立部８側の壁部３に取り付けられているので、例えば、開き戸１１等の開閉に連動して撮像装置２０が移動する虞がなく、撮像装置２０が静止された状態のまま撮像を行い、撮像された画像を記録部３６により記録することができる。
【００４６】
さらに、撮像装置２０の撮像方向が一対の方立部８，９のうち撮像装置２０が取り付けられていない他方の方立部９側を向いているので、単に壁部３の外側を通過するに過ぎない人まで撮像して記録することなく、壁部３に設けられた開口枠部５を通過する又は通過しようとする人Ｐを側面から撮像し、撮像された画像を記録することができる。その結果、記録部３６によって記録された当該画像に基づき、開口枠部５を通過する又は通過しようとする人Ｐを確実に特定することができる。
【００４７】
なお、本実施形態に係る記録システム３０Ａでは、人Ｐと想定される被対象物が開口枠部５を通過するタイミングに合わせて撮像装置２０が撮像し、その撮像された画像データが無線送信部２５から画像出力装置３１に送信される対応を説明した。しかしながら、撮像装置２０においてピンポイントでの静止画像ではなく、連続的に撮像された画像データ（いわゆる動画であり、以下、「連続画像」という）を無線送信部２５から画像出力装置３１に送ることもできる。
【００４８】
この場合、例えば、その連続画像の経過時間と同期をとりながら、建具開閉センサ１３や赤外線センサ２１で検知された時間を取得し、取得された時間データを連続画像と一緒に無線送信部２５から画像出力装置３１に送る。そして、画像出力装置３１の記録部３６では、連続画像の中で、時間データに対応する画像を特定し、特定した画像を記録するようにする。
【００４９】
次に、図５及び図６を参照して、上記実施形態の変形例に係る記録システムについて説明する。なお、以下の説明では、上記実施形態に係る記録システムとの相違点を中心に説明し、共通する構成については、同一の符号を付して詳細な説明を省略する。
【００５０】
図５は、本発明の変形例に係る記録システム３０Ｂを示す概略構成図である。図５に示されるように、変形例に係る記録システム３０Ｂでは、撮像装置２０に赤外線センサ２１に加え、記録部４０が搭載されている。記録部４０は、撮像部２２により撮像された画像を記録する。また、記録部４０は、記録した画像を無線送信部２５へ送信する。記録部４０は、撮像部２２により撮像された画像の全てを記録しなくてもよく、必要に応じて画像を選択して記録してもよい。同様に、記録部４０は、記録した画像の全てを無線送信部２５へ送信しなくてもよく、必要に応じて画像を選択して送信してもよい。
【００５１】
例えば、記録部４０は、赤外線センサ２１からの信号及び建具開閉センサ１３からの信号の少なくとも一方に基づき作動してもよい。この場合、記録部４０は、赤外線センサ２１により開口枠部５を通過する人Ｐが検知されると、撮像部２２により撮像された画像を記録し、記録した画像を無線送信部２５へ送信する。また、記録部４０は、建具開閉センサ１３により開き戸１１の開閉が検知されると、撮像部２２により撮像された画像を記録し、記録した画像を無線送信部２５へ送信する。
【００５２】
次に、図６を参照して記録システムの動作手順について説明する。図６は、図５の記録システム３０Ｂの動作手順を示すフローチャートである。
【００５３】
図６に示されるように、ステップＳ１１及びステップＳ１２は、記録システム３０Ａの動作手順と同様である。記録システム３０Ｂの動作手順においては、ステップＳ１２に続いて、赤外線センサ２１からの検知信号及び建具開閉センサ１３からの検知信号の少なくとも一方に基づき、記録部４０が作動する。具体的に、記録部４０は、撮像された画像を記録し、記録した画像を無線送信部２５へ送信する（ステップＳ２３）。なお、赤外線センサ２１からの検知信号及び建具開閉センサ１３からの検知信号に基づいて行う動作としては、記録だけでもよいし、送信だけでもよい。
【００５４】
続いて、無線送信部２５は、記録部４０により記録された画像を受信して、当該画像を画像出力装置３１へ送信する（ステップＳ２４）。画像出力装置３１においては、記録部４０により記録された画像を解析部３５が取得して、当該画像を表示制御部３７がモニタ３８に表示する（ステップＳ２５）。なお、画像出力装置３１においては、記録部４０により記録された画像を更に記録部３６により記録してもよい。
【００５５】
以上、本変形例に係る記録システム３０Ｂにおいても、記録部４０によって記録された当該画像に基づき、開口枠部５を通過する又は通過しようとする人Ｐを確実に特定することができる。
【００５６】
さらに、記録システム３０Ｂによれば、撮像装置２０及び記録部４０の少なくとも一方は、赤外線センサ２１及び建具開閉センサ１３の少なくとも一方からの信号に基づき作動するので、人Ｐが開口枠部５を通過した時の撮像情報を得やすくなる。また、例えば撮像装置２０を画像の差分解析等に基づいて撮像を行う場合に比して、人Ｐが開口枠部５を通過するタイミングにおいて撮像装置２０の撮像を正確に行うことができる。
【００５７】
以上、本発明を実施形態に基づいて説明したが、本発明は上記の実施形態のみに限定されない。例えば、開口枠部５に設置される開き戸１１に代えて、引き戸を設置してもよい。
【符号の説明】
【００５８】
１…撮像装置の取付構造、３…壁部、３ａ…室外側の面（一方の面）、３ｂ…室内側の面（他方の面）、５…開口枠部（開口部）、８，９…方立部（側辺）、１１…開き戸（建具）、１１ａ…吊元、１３…建具開閉センサ、２０…撮像装置、３６，４０…記録部、２１…赤外線センサ（人通過センサ）、２３…配線部、２５…無線送信部、２７…ブラケット部、Ｐ…人。
【図１】
2015154346.tif 000003
【図２】
2015154346.tif 000004
【図３】
2015154346.tif 000005
【図４】
2015154346.tif 000006
【図５】
2015154346.tif 000007
【図６】
2015154346.tif 000008